【手続補正書】
【提出日】平成23年5月18日(2011.5.18)
【手続補正１】
【補正対象書類名】特許請求の範囲
【補正対象項目名】全文
【補正方法】変更
【補正の内容】
【特許請求の範囲】
【請求項１】
ＩＤ情報が付与されたＩＣチップと接続可能なユーザ端末に対して広告画像を送信する広告サーバであって、
前記ユーザ端末から広告画像の送信要求を受け付ける送信要求受付手段と、
前記ユーザ端末から、当該ユーザ端末に接続しているＩＣチップのＩＤ情報を受信するＩＤ情報受信手段と、
前記ユーザ端末に前記送信要求を受け付けた広告画像を送信する送信手段と、
前記送信した広告画像と前記受信したＩＤ情報の対応を記憶する記憶手段と、
を具備したことを特徴とする広告サーバ。
【請求項２】
前記ユーザ端末において前記広告画像の再生中に、前記ＩＣチップが前記ユーザ端末に接続していることを確認する接続確認手段を具備し、
前記記憶手段は、前記記憶した対応に、前記接続確認手段による確認結果を更に対応づけて記憶することを特徴とする請求項１に記載の広告サーバ。
【請求項３】
前記ユーザ端末を介して前記ＩＣチップにＩＤ情報を要求するＩＤ情報要求手段を具備し、
前記接続確認手段は、前記ユーザ端末が前記広告画像を再生している最中に、前記ＩＤ情報要求手段によって前記ＩＣチップにＩＤ情報の送信を要求し、前記ＩＣチップが当該要求に対して、前記ＩＤ情報受信手段で受信したＩＤ情報と同じＩＤ情報を送信してくることを確認することにより、前記ＩＣチップが前記ユーザ端末に接続していることを確認することを特徴とする請求項２に記載の広告サーバ。
【請求項４】
前記ユーザ端末は、前記広告画像を再生している最中に前記ＩＣチップが接続していることを監視する監視手段を具備しており、
前記接続確認手段は、前記監視手段による監視結果を前記ユーザ端末から受信することにより、前記広告画像の再生中に、前記ＩＣチップが前記ユーザ端末に接続していることを確認することを特徴とする請求項２に記載の広告サーバ。
【請求項５】
ユーザに対して、前記ＩＣチップを前記ユーザ端末に対して接続させる接続指示と、接続を解除させる解除指示を行う指示手段と、
前記ＩＣチップが前記接続指示と前記解除指示に対応して接続と解除が成されたことを確認する接続解除確認手段と、
を具備し、
前記記憶手段は、前記記憶した対応に、前記接続解除確認手段による確認結果を更に対応づけて記憶することを特徴とする請求項１に記載の広告サーバ。
【請求項６】
ＩＤ情報が付与されたＩＣチップと接続するＩＣチップ接続手段と、
広告画像を配信する広告サーバに広告画像の送信を要求する送信要求手段と、
前記接続したＩＣチップからＩＤ情報を取得して前記広告サーバに送信するＩＤ情報送信手段と、
前記要求した広告画像を受信する広告画像受信手段と、
前記受信した広告画像を再生する再生手段と、
前記広告サーバが、前記広告画像を再生中に前記ＩＣチップが前記ＩＣチップ接続手段にて接続していることを確認するのを支援する支援手段と、
を具備したことを特徴とするユーザ端末。
【請求項７】
前記支援手段は、前記広告画像の再生中に、前記広告サーバと前記ＩＣチップとを接続することを特徴とする請求項６に記載のユーザ端末。
【請求項８】
前記広告画像を再生している最中に前記ＩＣチップが接続していることを監視する監視手段を具備し、
前記支援手段は、前記監視手段による監視結果を前記広告サーバに送信することを特徴とする請求項６に記載のユーザ端末。
【請求項９】
ＩＤ情報が付与されたＩＣチップと接続可能なユーザ端末に対して広告画像を送信する広告サーバが行う広告方法であって、
前記広告サーバと、送信要求受付手段と、ＩＤ情報受信手段と、送信手段と、記憶手段と、を備え、
前記送信要求受付手段によって、前記ユーザ端末から広告画像の送信要求を受け付ける送信要求受付ステップと、
前記ＩＤ情報受信手段によって、前記ユーザ端末から、当該ユーザ端末に接続しているＩＣチップのＩＤ情報を受信するＩＤ情報受信ステップと、
前記送信手段によって、前記ユーザ端末に前記送信要求を受け付けた広告画像を送信する送信ステップと、
前記記憶手段によって、前記送信した広告画像と前記受信したＩＤ情報の対応を記憶する記憶ステップと、
から構成されたことを特徴とする広告方法。
【請求項１０】
ＩＤ情報が付与されたＩＣチップと接続するＩＣチップ接続機能と、
広告画像を配信する広告サーバに広告画像の送信を要求する送信要求機能と、
前記接続したＩＣチップからＩＤ情報を取得して前記広告サーバに送信するＩＤ情報送信機能と、
前記要求した広告画像を受信する広告画像受信機能と、
前記受信した広告画像を再生する再生機能と、
前記広告サーバが、前記広告画像を再生中に前記ＩＣチップが前記ＩＣチップ接続機能にて接続していることを確認するのを支援する支援機能と、
をコンピュータで実現する広告視聴プログラム。
【手続補正２】
【補正対象書類名】明細書
【補正対象項目名】０００７
【補正方法】変更
【補正の内容】
【０００７】
本発明は、前記目的を達成するために、請求項１に記載の発明では、ＩＤ情報が付与されたＩＣチップと接続可能なユーザ端末に対して広告画像を送信する広告サーバであって、前記ユーザ端末から広告画像の送信要求を受け付ける送信要求受付手段と、前記ユーザ端末から、当該ユーザ端末に接続しているＩＣチップのＩＤ情報を受信するＩＤ情報受信手段と、前記ユーザ端末に前記送信要求を受け付けた広告画像を送信する送信手段と、前記送信した広告画像と前記受信したＩＤ情報の対応を記憶する記憶手段と、を具備したことを特徴とする広告サーバを提供する。
請求項２に記載の発明では、前記ユーザ端末において前記広告画像の再生中に、前記ＩＣチップが前記ユーザ端末に接続していることを確認する接続確認手段を具備し、前記記憶手段は、前記記憶した対応に、前記接続確認手段による確認結果を更に対応づけて記憶することを特徴とする請求項１に記載の広告サーバを提供する。
請求項３に記載の発明では、前記ユーザ端末を介して前記ＩＣチップにＩＤ情報を要求するＩＤ情報要求手段を具備し、前記接続確認手段は、前記ユーザ端末が前記広告画像を再生している最中に、前記ＩＤ情報要求手段によって前記ＩＣチップにＩＤ情報の送信を要求し、前記ＩＣチップが当該要求に対して、前記ＩＤ情報受信手段で受信したＩＤ情報と同じＩＤ情報を送信してくることを確認することにより、前記ＩＣチップが前記ユーザ端末に接続していることを確認することを特徴とする請求項２に記載の広告サーバを提供する。
請求項４に記載の発明では、前記ユーザ端末は、前記広告画像を再生している最中に前記ＩＣチップが接続していることを監視する監視手段を具備しており、前記接続確認手段は、前記監視手段による監視結果を前記ユーザ端末から受信することにより、前記広告画像の再生中に、前記ＩＣチップが前記ユーザ端末に接続していることを確認することを特徴とする請求項２に記載の広告サーバを提供する。
請求項５に記載の発明では、ユーザに対して、前記ＩＣチップを前記ユーザ端末に対して接続させる接続指示と、接続を解除させる解除指示を行う指示手段と、前記ＩＣチップが前記接続指示と前記解除指示に対応して接続と解除が成されたことを確認する接続解除確認手段と、を具備し、前記記憶手段は、前記記憶した対応に、前記接続解除確認手段による確認結果を更に対応づけて記憶することを特徴とする請求項１に記載の広告サーバを提供する。
請求項６に記載の発明では、ＩＤ情報が付与されたＩＣチップと接続するＩＣチップ接続手段と、広告画像を配信する広告サーバに広告画像の送信を要求する送信要求手段と、前記接続したＩＣチップからＩＤ情報を取得して前記広告サーバに送信するＩＤ情報送信手段と、前記要求した広告画像を受信する広告画像受信手段と、前記受信した広告画像を再生する再生手段と、前記広告サーバが、前記広告画像を再生中に前記ＩＣチップが前記ＩＣチップ接続手段にて接続していることを確認するのを支援する支援手段と、を具備したことを特徴とするユーザ端末を提供する。
請求項７に記載の発明では、前記支援手段は、前記広告画像の再生中に、前記広告サーバと前記ＩＣチップとを接続することを特徴とする請求項６に記載のユーザ端末を提供する。
請求項８に記載の発明では、前記広告画像を再生している最中に前記ＩＣチップが接続していることを監視する監視手段を具備し、前記支援手段は、前記監視手段による監視結果を前記広告サーバに送信することを特徴とする請求項６に記載のユーザ端末を提供する。
請求項９に記載の発明では、ＩＤ情報が付与されたＩＣチップと接続可能なユーザ端末に対して広告画像を送信する広告サーバが行う広告方法であって、前記広告サーバと、送信要求受付手段と、ＩＤ情報受信手段と、送信手段と、記憶手段と、を備え、前記送信要求受付手段によって、前記ユーザ端末から広告画像の送信要求を受け付ける送信要求受付ステップと、前記ＩＤ情報受信手段によって、前記ユーザ端末から、当該ユーザ端末に接続しているＩＣチップのＩＤ情報を受信するＩＤ情報受信ステップと、前記送信手段によって、前記ユーザ端末に前記送信要求を受け付けた広告画像を送信する送信ステップと、前記記憶手段によって、前記送信した広告画像と前記受信したＩＤ情報の対応を記憶する記憶ステップと、から構成されたことを特徴とする広告方法を提供する。
請求項１０に記載の発明では、ＩＤ情報が付与されたＩＣチップと接続するＩＣチップ接続機能と、広告画像を配信する広告サーバに広告画像の送信を要求する送信要求機能と、前記接続したＩＣチップからＩＤ情報を取得して前記広告サーバに送信するＩＤ情報送信機能と、前記要求した広告画像を受信する広告画像受信機能と、前記受信した広告画像を再生する再生機能と、前記広告サーバが、前記広告画像を再生中に前記ＩＣチップが前記ＩＣチップ接続機能にて接続していることを確認するのを支援する支援機能と、をコンピュータで実現する広告視聴プログラムを提供する。
【手続補正３】
【補正対象書類名】明細書
【補正対象項目名】００５８
【補正方法】変更
【補正の内容】
【００５８】
ウェブサイト接続部６２は、接続情報（ＵＲＬ）を用いてユーザ端末４をネットワーク上のウェブサイトに接続する機能部であり、これによって広告サイト６８や電子マネーサーバ２のサービスサイトを閲覧できるほか、他のウェブサイトを訪問することもできる。
電子マネーカードアクセス部６３は、例えば拡張機能としてブラウザ部６１に組み込まれており、ユーザ端末４が電子マネーカード６にアクセスするための機能部である。
また、電子マネーカードアクセス部６３は、広告サーバ３や電子マネーサーバ２が電子マネーカード６にアクセスする際の通信経路も提供する。
【手続補正４】
【補正対象書類名】明細書
【補正対象項目名】００７４
【補正方法】変更
【補正の内容】
【００７４】
広告サーバ３は、ユーザ端末４から広告ＩＤを受信すると（ＩＤ情報受信手段）、視聴ＩＤを採番（発番）し、電子マネー機能部ＩＤと、ユーザが選択した広告動画の広告ＩＤを当該視聴ＩＤに対応づけて視聴記録データベースに記憶する（記憶手段）。
次に、広告サーバ３は、この広告ＩＤを広告動画データベースで検索して広告動画（動画データ）を取得し、これをユーザ端末４に送信する（送信手段）（ステップ４０）。
ユーザ端末４は、広告サーバ３から広告動画を受信すると（広告画像受信手段）、動画再生プログラムによってこれを再生する（再生手段）（ステップ４５）。
【手続補正５】
【補正対象書類名】明細書
【補正対象項目名】００８３
【補正方法】変更
【補正の内容】
【００８３】
次に、広告サーバ３は、この広告主ＩＤに対応づけられた接続情報を広告主データベースで検索し、広告主サーバ７への接続情報を取得する。
そして、広告サーバ３は、この接続情報を用いて広告主サーバ７に接続し、視聴記録データを生成して広告主サーバ７に送信する（ステップ７２）。
【手続補正６】
【補正対象書類名】図面
【補正対象項目名】図７
【補正方法】変更
【補正の内容】
【図７】
2008245187.tif 000001
【手続補正７】
【補正対象書類名】図面
【補正対象項目名】図１１
【補正方法】変更
【補正の内容】
【図１１】
2008245187.tif 000002